(57)【特許請求の範囲】
【請求項１】
室内機と電気的に接続する端子部を配置する端子部板と、冷媒配管を接続する配管接続弁を配置する配管接続弁板と、前記端子部板と前記配管接続弁板とを覆う配管カバーとを筐体の一側面側に備えた空気調和機の室外機であって、前記配管カバーは端子部側空間と配管接続弁側空間とを有し、前記端子部側空間の内壁に前記端子部板が対向し、前記配管接続弁側空間の内壁に前記配管接続弁板が対向し、前記端子部側空間と前記配管接続弁側空間はリブによって遮蔽されるとともに、前記端子部の下方に位置するように前記リブの間に設けられた第一の開口部を介して空間的につながり、前記第一の開口部の内壁側に前記端子部に接続される接続線を固定する固定部を設け、前記筐体の一側面には、前記第一の開口部と対向する位置よりも上方であって、前記端子部よりも下方に、前記固定部と対向する位置に前記接続線を導くように前記接続線の両側面を保持する一対の切起しからなる第一のガイド部を設け、前記配管カバーを外方から前記筐体の一側面にネジ止めすることによって、前記固定部が前記接続線を押圧固定することを特徴とする空気調和機の室外機。
【請求項２】
前記配管接続弁側空間と外方とを空間的につながる第二の開口部を備え、前記接続線を前記第二の開口部へ導くように前記接続線の両側面を保持する一対の切起しからなる第二のガイド部を設けたことを特徴とする請求項１に記載の空気調和機の室外機。
【発明の詳細な説明】
【技術分野】
【０００１】
本発明は、室内機と接続線を接続する端子部や室内機や、冷媒配管を接続する配管接続弁を覆う配管カバーを備えた空気調和機の室外機に関する。
【背景技術】
【０００２】
従来、この種の空気調和機の室外機は、据付工事の際には、接続線を端子部に接続し、接続線固定具で固定し、さらに端子部や室内機に接続配管を接続する配管接続弁を配管カバーで覆っている（例えば、特許文献１参照）。
【０００３】
図６は、特許文献１に記載された従来の空気調和機の室外機を示すものである。図６に示すように、空気調和機の室外機１は、熱交換器、送風機、圧縮機及びこれらを駆動する電気部品とリード線を介して電気的に接続する端子部２と、端子部板３と、接続線５と、接続線固定具４とを配管カバー６で覆って構成されている。
【先行技術文献】
【特許文献】
【０００４】
【特許文献１】特開昭２００５−１８０７１６号公報
【発明の概要】
【発明が解決しようとする課題】
【０００５】
しかしながら、前記従来の構成では、据付工事の際には、まず配管カバーと接続線固定金具を取外した後、室内機からの接続線を端子部に接続後、接続線固定具で固定し、さらに接続配管を配管接続弁に接続した後、配管カバーを再装着することになるため、材料費が向上するだけではなく、製造過程での専用の接続線固定具の仮固定作業や、室外機の据付工事の際に専用の接続線固定具を一旦取外して再び接続線を固定するという作業が発生し、作業性が悪いという課題を有していた。
【０００６】
本発明は、前記従来の課題を解決するもので、安価で作業性を向上させる空気調和機の室外機を提供することを目的とする。
【課題を解決するための手段】
【０００７】
前記従来の課題を解決するために、本発明の空気調和機の室外機は、室内機と電気的に接続する端子部を配置する端子部板と、冷媒配管を接続する配管接続弁を配置する配管接続弁板と、端子部板と配管接続弁板とを覆う配管カバーとを筐体の一側面側に備えた空気調和機の室外機であって、配管カバーは端子部側空間と配管接続弁側空間とを有し、端子部側空間の内壁に端子部板が対向し、配管接続弁側空間の内壁に配管接続弁板が対向し、端子部側空間と配管接続弁側空間はリブによって遮蔽されるとともに、前記端子部の下方
に位置するように前記リブの間に設けられた第一の開口部を介して空間的につながり、第一の開口部の内壁側に端子部に接続される接続線を固定する固定部を設け、筐体の一側面には、第一の開口部と対向する位置よりも上方であって、端子部よりも下方に、固定部と対向する位置に接続線を導くように接続線の両側面を保持する一対の切起しからなる第一のガイド部を設け、配管カバーを外方から筐体の一側面にネジ止めすることによって、固定部が接続線を押圧固定することにより、材料費の低減や製造過程での専用の固定具の仮固定作業が不要になり、製造原価を低減すると共に室外機の据付工事の際に専用の固定具を取外して再度接続線を固定するという作業も低減することができる。
【発明の効果】
【０００８】
本発明は、安価で作業性を向上させる空気調和機の室外機を提供することができる。
【図面の簡単な説明】
【０００９】
【図１】本発明の実施の形態１における室外機の一部を断面形状とした正面図
【図２】同実施の形態１における室外機の一部を断面形状とした側面図
【図３】（ａ）同実施の形態１における要部斜視図（ｂ）同実施の形態１における要部断面図
【図４】（ａ）同実施の形態１における要部斜視図（ｂ）同実施の形態１における要部断面図
【図５】（ａ）同実施の形態１における室外機の側面図（ｂ）同実施の形態１における要部断面図
【図６】従来の空気調和機の室外機の側面図
【発明を実施するための形態】
【００１０】
第１の発明の空気調和機の室外機は、室内機と電気的に接続する端子部を配置する端子部板と、冷媒配管を接続する配管接続弁を配置する配管接続弁板と、端子部板と配管接続弁板とを覆う配管カバーとを筐体の一側面側に備えた空気調和機の室外機であって、配管カバーは端子部側空間と配管接続弁側空間とを有し、端子部側空間の内壁に端子部板が対向し、配管接続弁側空間の内壁に配管接続弁板が対向し、端子部側空間と配管接続弁側空間はリブによって遮蔽されるとともに、前記端子部の下方に位置するように前記リブの間に設けられた第一の開口部を介して空間的につながり、第一の開口部の内壁側に端子部に接続される接続線を固定する固定部を設け、筐体の一側面には、第一の開口部と対向する位置よりも上方であって、端子部よりも下方に、固定部と対向する位置に接続線を導くように接続線の両側面を保持する一対の切起しからなる第一のガイド部を設け、配管カバーを外方から筐体の一側面にネジ止めすることによって、固定部が接続線を押圧固定することにより、材料費の低減や製造過程での専用の固定具の仮固定作業が不要になり、製造原価を低減すると共に室外機の据付工事の際に専用の固定具を取外して再度接続線を固定するという作業も低減することができる。また、第一のガイド部を設けたことにより、作業性を向上させることができる。
【００１２】
第２の発明の空気調和機の室外機は、特に第１の発明において、配管接続弁側空間と外方とを空間的につながる第二の開口部を備え、接続線を第二の開口部へ導くように前記接続線の両側面を保持する一対の切起しからなる第二のガイド部を設けたことにより、接続線の引廻し処理を容易かつ確実にし、さらに品質を向上させることができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における室外機の一部を断面形状とした正面図、図２は同実施の形態１における室外機の一部を断面形状とした側面図、図３（ａ）同実施の形態１における要部斜視図、図３（ｂ）同実施の形態１における要部断面図、図４（ａ）同実施の形態１における要部斜視図、図４（ｂ）同実施の形態１における要部断面図である。
【００１５】
図１から図４において、空気調和機の室外機は、筐体７を有し、筐体７の内部に室外熱交換器（図示せず）、室外送風機（図示せず）、圧縮機（図示せず）、各駆動機構を駆動するための電気部品８を備えている。
【００１６】
さらに、電気部品８とリード線９を介して電気的に接続される端子部１０を配置する端子部板１１と、筐体７内部の冷凍サイクル部品への冷媒流路の端部に二方弁１３ａと三方弁１３ｂとを備え、それぞれの弁が配置される配管接続弁板１４とを、筐体７の一側面側に設けている。
【００１７】
そして、端子部板１１と配管接続弁板１４とを覆う配管カバー１５が設けられている。
配管カバー１５には、室外機の持ち運びがしやすいように取っ手部１６が設けられている。
【００１８】
このように構成された室外機において、二方弁１３ａおよび三方弁１３ｂには冷媒配管１２ａ、１２ｂが接続され、室内機（図示せず）から延伸されている接続線１９が端子部１０に接続される。
【００１９】
次に、配管カバー１５の構成について説明する。図４（ａ）は配管カバー１５の裏面の要部斜視図である。本実施の形態における配管カバー１５は、端子部板１１に内壁が対向する端子部側空間Ａと、配管接続弁板１４に内壁が対向する配管接続弁側空間Ｂとで構成されており、それぞれの空間を遮蔽するリブ１７が設けられている。
【００２０】
そして、端子部側空間Ａと配管接続弁側空間Ｂとを空間的に接続する第一の開口部１８が設けられている。また、配管カバー１５の内壁側には、接続線１９を押圧固定する固定部２０を設けており、第一の開口部１８の両側には固定用ネジ２１ａ、２１ｂで筐体７と配管カバー１５とを螺着するためのネジ座２２ａ、２２ｂを設けている。なお、本実施の形態では固定部２０は、配管カバー１５を取り付けた時に接続線１９を押圧固定する保持部材２３ａ、２３ｂとで構成されている。また本実施の形態では保持部材２３を２つ設けたが、その数はこれに限定されるものではない。
【００２１】
また、配管接続弁側空間Ｂには、室内機から延伸されている接続線１９を配管カバー１５の内部に取り込むための第二の開口部２４を有しており、室内機と接続する冷媒配管１２ａ、１２ｂも同様に第二の開口部２４から配管カバー１５の内部に取り込む。
【００２２】
次に、配管カバー１５と対向する筐体７の側面の構成について説明する。配管カバー１５に設けられた固定部２０に対向するように接続線１９を沿わせるために、一対の切り起しで形成された第一のガイド部２５を設けている。第一のガイド部２５は、押圧固定される第一の開口部１８よりも上方側であって、端子部１０よりも下方側に設けられている。
【００２３】
なお、本実施の形態では第一のガイド部２５は一対の切り起しで形成したが、これに限定されるものではなく、固定部２０に対向するように接続線１９を沿わせることが可能な構成であればよい。
【００２４】
図５（ａ）は、配管カバー１５を取り外した状態の室外機の一側面側の正面図、図５（ｂ）は要部断面図である。
【００２５】
図５（ａ）に示すように、接続線１９を外方へ出すために、接続線１９を第二の開口部２４へ誘導する必要がある。そこで、本実施の形態では第二のガイド部２６ａ〜ｃを設けており、それぞれのガイド部に接続線１９をはめ込んでいくと、第二の開口部２４側へ誘導されるように構成されている。第二のガイド部２６ａ〜ｃは、第一のガイド部２５と同じようにそれぞれ一対の切り起しで形成する。また、第二のガイド部２６ａ〜ｃは第一の開口部１８から第二の開口部２４の間に設けられる。
【００２６】
以上のように構成された空気調和機の室外機において、以下、その動作・作用を説明する。
【００２７】
まず、室外機の据付工事において、まず室外機から配管カバーを取外し、二方弁や三方弁に冷媒配管１２ａ、１２ｂを接続する。また、室内機から延伸される接続線１９を第一のガイド部２５および第二のガイド部２６ａ〜ｃで仮固定し、端子部１０に接続線１９の一端を接続する。このときの状態を図３（ｂ）、図５（ｂ）に示す。
【００２８】
そして、最後に取り外した配管カバーを再び装着する。このとき、第一の開口部１８の内壁側に設けられた保持部材２３ａ、２３ｂで接続線１９を押圧固定するように、配管カバー１５に力を加える。
【００２９】
そして、固定用ネジ２１ａ、２１ｂで筐体７に配管カバー１５を固定することで、配管カバー１５の取り付けが完了する。
【００３０】
以上のように、本発明においては、第一のガイド部および第二のガイド部を設けたことによって、作業性を向上させることができる。なお、本実施の形態では第二のガイド部は３箇所設けたが、この数に限定されるものではなく、筐体７の大きさ等によって変更してもよい。
【００３１】
また、第一のガイド部および第二のガイド部いずれかを設けるようにしてもよいが、２つのガイド部を設けることによって、作業性はより良くなる。
【産業上の利用可能性】
【００３２】
本発明にかかる空気調和機の室外機は、マルチ型空気調和機などにも適用することができる。
【符号の説明】
【００３３】
７    筐体
１０  端子部
１１  端子部板
１４  配管接続弁板
１５  配管カバー
１８  第一の開口部
１９  接続線
２０  固定部
２４  第二の開口部
２５  第一のガイド部
２６ａ〜ｃ  第二のガイド部
Ａ  端子部側空間
Ｂ  配管接続弁側空間
【図１】
0005824603.tif 000002
【図２】
0005824603.tif 000003
【図３】
0005824603.tif 000004
【図４】
0005824603.tif 000005
【図５】
0005824603.tif 000006
【図６】
0005824603.tif 000007